(57)【要約】【課題】米穀類、野菜などを収納、貯蔵するのに用いる低温貯蔵庫において、設置工事の施工ミスによる不具合を防止する。【解決手段】低温貯蔵庫２０に、ＡＣ入力からＤＣ入力に変換する電源回路部５０と、電源回路部５０から出力された電圧を判定する電源電圧判定手段５１とを備えた制御装置４０と、警告表示灯５５を設けたことにより、設置時等に誤って異電圧が入力された場合でも冷却ユニット２２の制御をＯＦＦにし、警告表示灯５５をＯＮ（点灯）にして、設置工事時の施工ミスであることを設置工事業者に告知することとなり、施工ミスを防止し、かつ制御装置が壊れることを未然に防止できる。【選択図】図３
2005069541.tif 000002
【特許請求の範囲】
【請求項１】
冷却器と冷却器用送風機と圧縮機と放熱器と放熱器用送風機と、前記冷却器用送風機と前記圧縮機と前記放熱器用送風機を制御する制御装置からなる低温貯蔵庫において、前記制御装置に入力する電源電圧を監視させる電源電圧判定手段を備えたことを特徴とする低温貯蔵庫。
【請求項２】
前記制御装置に冷却器用送風機駆動電流検出手段を備えたことを特徴とする請求項１に記載の低温貯蔵庫。
【請求項３】
前記制御装置に放熱器用送風機駆動電流検出手段を備えたことを特徴とする請求項１または２に記載の低温貯蔵庫。
【請求項４】
前記低温貯蔵庫に警告表示灯を備えたことを特徴とする請求項１から請求項３のいずれか一項に記載の低温貯蔵庫。
【請求項５】
前記低温貯蔵庫に警告音装置を備えたことを特徴とする請求項１から請求項４のいずれか一項に記載の低温貯蔵庫。
【発明の詳細な説明】
【技術分野】
【０００１】
本発明は、米穀類、野菜などを収納、貯蔵するのに用いる低温貯蔵庫に関するものである。
【背景技術】
【０００２】
従来、この種の低温貯蔵庫に関するものとしては、例えば特許文献１に示されるものがあり、貯蔵庫内に配備した冷媒回路の冷却器で庫内空気を冷却するものが知られている。かかる貯蔵庫の庫内温度はサーモスタットの設定により冷媒回路の圧縮機と放熱用送風機を運転・停止させることにより制御される。その際、冷却器用送風機は、圧縮機・放熱器用送風機と同期して運転・停止され、貯蔵庫内空気を冷却器に送風して冷却し、定期的に冷却器に着いた霜を霜取タイマーでカウントして霜を取る制御方式を採用している。
【特許文献１】特開２００２−２７７１３９号公報
【発明の開示】
【発明が解決しようとする課題】
【０００３】
しかしながら、上記従来の構成において、駆動用の電源電圧は１００Ｖのものが一般的であり、１００Ｖタイプの低温貯蔵庫を設置工事する際、誤って２００Ｖの異電圧を印加した場合、２００Ｖの異電圧に対して考慮されていない圧縮機などが破壊する欠点があった。また、放熱器用送風機や冷却器用送風機が不慮の事故で破壊した場合、不安全状態で動作するという欠点があった。
【０００４】
本発明は上記従来の課題を解決するもので、不注意による設置工事時の施工ミスを防止させることにより、堅実に設置工事ができ、また、放熱器用送風機や冷却器用送風機が故障した際、不安全状態を防止させることにより、品質向上を確保することができる低温貯蔵庫を提供することを目的とする。
【課題を解決するための手段】
【０００５】
上記従来の課題を解決する為に、本発明の請求項１に記載の発明は、冷却器と冷却器用送風機と圧縮機と放熱器と放熱器用送風機と、前記冷却器用送風機と前記圧縮機と前記放熱器用送風機を制御する制御装置を備えた低温貯蔵庫において、前記制御装置に入力する電源電圧を監視させる電源電圧判定手段を備えたものであり、不注意による設置工事時の施工ミスを防止させることにより、堅実に設置工事ができる作用を有する。
【０００６】
請求項２に記載の発明は、請求項１に記載の発明において、前記制御装置に冷却器用送風機駆動電流検出手段を備えたものであり、不慮の事故で前記冷却器用送風機が故障した場合不安全状態を防止することになり、品質向上を確保するものである。
【０００７】
請求項３に記載の発明は、請求項１または２に記載の発明において、前記制御装置に放熱器用送風機駆動電流検出手段を備えたものであり、不慮の事故で前記放熱器用送風機が故障した場合不安全状態を防止することになり、品質向上を確保するものである。
【０００８】
請求項４に記載の発明は、請求項１から請求項３のいずれか一項に記載の発明において、前記低温貯蔵庫に警告表示灯を備えたものであり、不注意による設置工事時の施工ミスで異電圧を誤って入力した場合、又は、不慮の事故で前記放熱器用送風機や前記冷却器用送風機が故障した場合に警告表示することにより、低温貯蔵庫の異常状態を知らせるものである。
【０００９】
請求項５に記載の発明は、請求項１から請求項４のいずれか一項に記載の発明において、前記低温貯蔵庫に警告音装置を備えたものであり、不注意による設置工事時の施工ミスで異電圧を誤って入力した場合、又は、不慮の事故で放熱器用送風機や冷却器用送風機が故障した場合に警告音を鳴らすことにより、低温貯蔵庫の異常状態を知らせるものである。
【発明の効果】
【００１０】
本発明の低温貯蔵庫は、不注意による設置工事時の施工ミスの防止することによって堅実に設置工事を行うことができる。また、本発明の低温貯蔵庫は、放熱器用送風機や冷却器用送風機の異常状態における継続動作の防止と、警告表示、警告音による異常の告知を行うことができる。
【発明を実施するための最良の形態】
【００１１】
請求項１に記載の発明は、冷却器と冷却器用送風機と圧縮機と放熱器と放熱器用送風機と、前記冷却器用送風機と前記圧縮機と前記放熱器用送風機を制御する制御装置とからなる低温貯蔵庫において、前記制御装置に入力する電源電圧を監視させる電源電圧判定手段を備えることにより、不注意による設置工事時の施工ミスを防止するとともに、堅実に設置工事ができる。
【００１２】
請求項２に記載の発明は、請求項１に記載の発明において、前記制御装置に冷却器用送風機駆動電流検出手段を備えたものであり、不慮の事故で前記冷却器用送風機が故障した場合に不安全状態を防止するとともに、品質向上することができる。
【００１３】
請求項３に記載の発明は、請求項１または２に記載の発明において、前記制御装置に放熱機用送風機駆動電流検出手段を備えたものであり、不慮の事故で前記放熱器用送風機が故障した場合不安全状態を防止することにより、品質向上することができる。
【００１４】
請求項４に記載の発明は、請求項１から請求項３のいずれか一項に記載の発明において、前記低温貯蔵庫に警告表示灯を備えたものであり、不注意による設置工事時の施工ミスで異電圧を誤って入力した場合、又は、不慮の事故で前記放熱器用送風機や前記冷却器用送風機が故障した場合に警告表示灯を点灯することにより、低温貯蔵庫の異常状態を知らせることができる。
【００１５】
請求項５に記載の発明は、請求項１から請求項４のいずれか一項に記載の発明において、前記低温貯蔵庫に警告音装置を備えたものであり、不注意による設置工事時の施工ミスで異電圧を誤って入力した場合、又は、不慮の事故で前記放熱器用送風機や前記冷却器用送風機が故障した場合に警告音を鳴らすことにより、低温貯蔵庫の異常状態を知らせることができる。
【００１６】
以下に、本発明の実施の形態について、図面を参照しながら説明する。なお、この実施形態によってこの発明が限定されるものではない。
【００１７】
（実施の形態１）
図１は、本発明の実施の形態１における低温貯蔵庫の斜視図である。図２は、同実施の形態の低温貯蔵庫の冷却ユニットの平面断面図である。図３は、同実施の形態の低温貯蔵庫の冷却ユニットの制御ブロック図である。図４は、同実施の形態の低温貯蔵庫の冷却ユニットの制御動作フローチャート図である。
【００１８】
図１、図２において、低温貯蔵庫２０は、貯蔵室２１と貯蔵室２１の上面に冷却ユニット２２配設し、冷却ユニット２２の温度設定をおこなう操作器２３である。また、冷却ユニット２２の外装に冷却ユニット２２内部と熱交換するための空気吸込用穴２４と排熱用の空気吹出用穴２５を有している。冷却ユニット２２は、機械室２６と冷却室２７に断熱体２８を介して別れ、冷却室２７に、冷却器２９と冷却器用送風機３０と冷却器２９のドレン水を受けるドレン皿３１を設置し、冷気吸込口３２と冷気吹出口３３を設けている。また、機械室２６は、圧縮機３４、放熱器３５、放熱器用送風機３６、ドレン水を蒸発する蒸発皿３７、ドレン皿３０に滴下したドレン水を蒸発皿３８へ導く通水管３９、制御装置４０を有している。
【００１９】
前記制御装置４０は、図３に示すように、ＡＣ入力からＤＣ入力に変換する電源回路部５０と、電源回路部５０から出力された電圧を判定する電源電圧判定手段５１と、電源回路部５０から出力された電圧を供給源とする中央演算部５２へ接続される。また、中央演算部５２は、貯蔵室２１内の温度を検出する庫内サーミスタ５３の信号に応じて、圧縮機３４、放熱器用送風機３６、冷却器用送風機３０を駆動する駆動ドライバー５４で接続され、また、冷却ユニット２２の温度設定をおこなう操作器２３とも接続される。さらに、冷却ユニット２２の警告を異常告知する警告表示灯５５が操作器２３に内蔵されている。
【００２０】
以上のように構成された低温貯蔵庫２０について、以下その動作を説明する。まず、貯蔵室２１の上面に冷却ユニット２２を配置し、冷却ユニット２２に電源投入する。電源電圧Ｖ０が制御装置の電源回路部５０、電源電圧判定手段５１を介して、中央演算部５２で予め設定された電圧Ｖ１に対して（数１）で表される。
【００２１】
【数１】
2005069541.tif 000003
【００２２】
この場合、冷却ユニット２２の制御をＯＮにし、貯蔵庫２１内の温度を検出する庫内サーミスタ５３の信号に応じて、圧縮機３４、放熱器用送風機３６、冷却器用送風機３０をＯＮ・ＯＦＦさせて、操作器２３で設定された温度に収束するように制御する。
また、不注意による設置工事時の施工ミスで電源電圧Ｖ０が、中央演算部５２で予め設定された電圧Ｖ１に対して（数２）で表される。
【００２３】
【数２】
2005069541.tif 000004
【００２４】
この場合、冷却ユニット２２の制御をＯＦＦにし、警告表示灯５５をＯＮ(点灯)して、設置工事業者に、設置工事時の施工ミスであることを告知することとなり、施工ミスを防止することにより、堅実に設置工事ができる。
【００２５】
（実施の形態２）
図５は、本発明の実施の形態２における低温貯蔵庫の冷却ユニットの制御ブロック図である。図６は、同実施の形態の低温貯蔵庫の冷却ユニットの制御動作フローチャート図である。
【００２６】
なお、実施の形態１と同一の部分については、同一の番号を付与し、説明を省略する。
【００２７】
図５において、中央演算部５２に、冷却器用送風機３０の駆動電流を監視する冷却器用送風機駆動電流検出手段５６が接続されている。
【００２８】
以上のように構成された低温貯蔵庫２０について、以下その動作を説明する。まず、冷却ユニット２２のＯＮ状態で貯蔵庫２１内の温度を検出する庫内サーミスタ５３の信号に応じて、圧縮機３４、放熱器用送風機３６、冷却器用送風機３０をＯＮ・ＯＦＦさせて、操作器２３で設定された温度に収束するように制御している場合、定期的に冷却器用送風機３０の駆動電流Ａｅを冷却器用送風機駆動電流検出手段５６で検出しながら、予め中央演算部５２で予め設定された下限駆動電流Ａ１と上限駆動電流Ａ２間に、冷却器用送風機３０の駆動電流Ａｅがある場合、冷却器用送風機３０の制御をＯＮにし、継続的に冷却ユニット２２の制御を継続する。
また、冷却器用送風機３０の駆動電流Ａｅが（数３）、（数４）で表される。
【００２９】
【数３】
2005069541.tif 000005
【００３０】
【数４】
2005069541.tif 000006
【００３１】
この場合、冷却器用送風機３０の制御をＯＦＦにし、警告表示灯５５をＯＮ(点灯)して、使用者に異常の告知することにより、不安全状態を防止することができる。
【００３２】
（実施の形態３）
図７は、本発明の実施の形態３における低温貯蔵庫の冷却ユニットの制御ブロック図である。図８は、同実施の形態の低温貯蔵庫の冷却ユニットの制御動作フローチャート図である。
【００３３】
なお、実施の形態１と同一の部分については、同一の番号を付与し、説明を省略する。
【００３４】
図７において、中央演算部５２に、放熱器用送風機３６の駆動電流を監視する放熱器用送風機駆動電流検出手段５７と、冷却ユニットの警告を告知する警告音装置５８が接続されている。
【００３５】
以上のように構成された低温貯蔵庫２０について、以下その動作を説明する。まず、冷却ユニット２２のＯＮ状態で庫内の温度を検出する庫内サーミスタ５３の信号に応じて、圧縮機３４、放熱器用送風機３６、冷却器用送風機３０をＯＮ・ＯＦＦさせて、操作器２３で設定された温度に収束するように制御している場合、定期的に放熱器用送風機３６の駆動電流Ａｃを放熱器用送風機駆動電流検出手段５７で検出しながら、予め中央演算部５２で予め設定された下限駆動電流Ａ３と上限駆動電流Ａ４間に、放熱器用送風機３６の駆動電流Ａｃがある場合、放熱器用送風機３６の制御をＯＮにし、継続的に冷却ユニット２２制御を継続する。
【００３６】
また、放熱器用送風機３６の駆動電流Ａｅが（数５）、（数６）で表される。
【００３７】
【数５】
2005069541.tif 000007
【００３８】
【数６】
2005069541.tif 000008
【００３９】
この場合、放熱器用送風機３５の制御をＯＦＦにし、警告音装置５８を鳴らして、使用者に異常の告知することにより、不安全状態を防止することができる。
【産業上の利用可能性】
【００４０】
以上のように、本発明にかかる低温貯蔵庫は、不注意による設置工事時の施工ミスの防止と冷却器用送風機や放熱器用送風機の異常状態における継続動作の防止と警告表示、警告音による異常の告知が可能となるので、ショーケース、自動販売機、冷蔵庫、配膳車等の用途にも適用できる。
【図面の簡単な説明】
【００４１】
【図１】本発明の実施の形態１における低温貯蔵庫の斜視図
【図２】同実施の形態の低温貯蔵庫の冷却ユニットの平面断面図
【図３】同実施の形態の低温貯蔵庫の冷却ユニットの制御ブロック図
【図４】同実施の形態の低温貯蔵庫の冷却ユニットの制御動作フローチャート
【図５】本発明の実施の形態２における低温貯蔵庫の制御ブロック図
【図６】同実施の形態の低温貯蔵庫の冷却ユニットの制御動作フローチャート
【図７】本発明の実施の形態３における低温貯蔵庫の制御ブロック図
【図８】同実施の形態の低温貯蔵庫の冷却ユニットの制御動作フローチャート
【符号の説明】
【００４２】
２０    低温貯蔵庫
２９    冷却器
３０    冷却器用送風機
３４    圧縮機
３５    放熱器
３６    放熱器用送風機
４０    制御装置
５１    電源電圧判定手段
５５    警告表示灯
５６    冷却器用送風機駆動電流検出手段
５７    放熱器用送風機駆動電流検出手段
５８    警告音装置
【図１】
2005069541.tif 000009
【図２】
2005069541.tif 000010
【図３】
2005069541.tif 000011
【図４】
2005069541.tif 000012
【図５】
2005069541.tif 000013
【図６】
2005069541.tif 000014
【図７】
2005069541.tif 000015
【図８】
2005069541.tif 000016